(57)【要約】  本発明は拡張部とニードル間の結合力及び固定力に優れたカニューレに関するものであり、より詳しくは、ニードルは所定の長さを有する円筒形を有し、外面に、前記拡張部の内部に挿入されて接着されるとき、前記拡張部との摩擦力によって結合力を高めるように形成された結合手段を含み、前記結合手段は、前記拡張部に挿入される前記ニードルの挿入領域に所定の深みを有するようにレーザー加工で前記ニードルの外面を溶融して形成された溝部、及び前記溝部に連結されるように前記ニードルの外側方向に突出した突出部を含むことを特徴とする。
2020535865.tif 000002
【特許請求の範囲】
【請求項１】
拡張部とニードルが接着剤によって互いに接着される施術用カニューレであって、
前記ニードル（１０）は所定の長さを有する円筒形又は円柱形に形成され、外面に、前記拡張部（３）の内部に挿入されて接着されるとき、前記拡張部（３）との摩擦力によって結合力を高めるように形成された結合手段（１００）を含み、
前記結合手段（１００）は、
前記拡張部（３）に挿入される前記ニードル（１０）の挿入領域（Ｄ１）に所定の深みを有するようにレーザー加工で前記ニードル（１０）外面を溶融させることによって形成された溝部（１１０）と、
前記溝部（１１０）と連結されるように前記ニードル（１０）の外側方向に突出した突出部（１２０）と、
前記ニードル（１０）の外面において前記溝部（１１０）に近接して設けられ、不特定のパターンを有し、前記溝部（１１０）をレーザー加工するときに発生する溶融物が前記ニードル（１０）の外面に固着して形成された補助固定体（１３０）と、
を含むことを特徴とする、ニードルの結合力に優れたカニューレ。
【請求項２】
前記溝部（１１０）の深み（Ｄ２）は１〜６０μｍであり、幅（Ｗ）は２０〜１００μｍであることを特徴とする、請求項１に記載のニードルの結合力に優れたカニューレ。
【請求項３】
前記突出部（１２０）の高さ（Ｈ）は１〜３０μｍであることを特徴とする、請求項１に記載のニードルの結合力に優れたカニューレ。
【発明の詳細な説明】
【技術分野】
【０００１】
本発明は拡張部とニードル間の結合力及び固定力に優れたカニューレに関するものである。
【背景技術】
【０００２】
一般に、カニューレは脂肪吸入用又はフィラー注入用はもちろんのこと、患者の血液採取に必要な針の形態として多く用いられており、拡張部に形成された中空部に表面が滑らかなニードルを締まりばめで挿入するに際して、該当ニードルの表面に接着剤を塗布して拡張部との結合力又は固定力を高めるようにした。
【０００３】
例えば、図１に示す韓国登録特許第１０−１４７２９４３号の従来技術による脂肪吸入用カニューレの場合、脂肪吸入のためのレーザー施術線を挿入するか脂肪吸入のための吸入器を挿入するために、まず、腹部内臓のような施術部位に脂肪吸入用カニューレを挿入させた状態で、レーザー施術線又は吸入器を挿入する用途に用いられる。
【０００４】
次に、フィラー注入用に用いられるフィラー注入用カニューレの場合には、顔のしわのような部位にフィラーを注入するために、フィラー注入用カニューレを皮膚層に挿入し、フィラーのみ残した状態で、フィラー注入用カニューレを除去した後、皮膚層に挿入されたフィラーを注入する用途に用いられており、その用途は違うが、同じカニューレを使って施術することが一般的である。
【０００５】
一方、前述した脂肪吸入用カニューレ及びフィラー注入用カニューレとは違う用途に用いられるものとして、皮膚しわを除去するか皮膚への栄養供給を促進させて皮膚弾力を良くするために皮膚層に埋線を行う場合に用いられる皮膚しわ整形用カニューレがある。
【０００６】
このような医療用途のカニューレは、拡張部３とニードル１０が図示しない接着剤を介して接着されてなるものが一般的であり、該当拡張部に注射器形態の注入器又は吸入器を連結し、管状のニードルを通して脂肪を吸入するかフィラーを注入することになるが、近来には、医療機器の発達によって注入器又は吸入器が装置として具現されて迅速な施術が可能になった。このような医療機器は該当脂肪吸入又はフィラー注入の際、一定の吐出／吸入圧力が存在することになる。
【０００７】
しかし、表面が滑らかなニードルとやはり表面が滑らかな中空部の内壁を有する拡張部を接着剤で互いに接着する場合、相互間の摩擦力が少ないため、甚だしくは該当ニードルが拡張部から離脱する安全事故が発生し得る。
【発明の概要】
【発明が解決しようとする課題】
【０００８】
本発明は上述した従来の問題点を解決するために提案されたものであり、拡張部と該当拡張部に挿入されるニードル間の摩擦力を増大させて結合力及び固定力を増大させることをその目的とする。
【課題を解決するための手段】
【０００９】
上述した技術的課題を解決するために、本発明によるニードルの結合力に優れたカニューレは、所定の長さを有する円筒形を有し、外面に、前記拡張部の内部に挿入されて接着されるとき、前記拡張部との摩擦力によって結合力を高めるように形成された結合手段を含み、前記結合手段は、前記拡張部に挿入される前記ニードルの挿入領域に所定の深みを有するようにレーザー加工で前記ニードルの外面を溶融して形成された溝部、及び前記溝部に連結されるように前記ニードルの外側方向に突出した突出部を含むことを特徴とする。
【００１０】
また、前記ニードルの外面には、前記溝部に近接して設けられ、不特定のパターンを有し、前記ニードルの外面をレーザー加工するときに発生する溶融物が前記ニードル外面に固着して形成された補助固定体をさらに含むことが好ましい。
【００１１】
また、前記溝部の深みは１〜６０μｍであり、幅Ｗは２０〜１００μｍであることが好ましい。
【００１２】
また、前記突出部の高さは１〜３０μｍであることが好ましい。
【００１３】
一方、上述した技術的課題を解決するために、本発明によるニードルの結合力に優れたカニューレは、ニードルの他の実施例において、拡張部とニードルが接着剤によって互いに接着される施術用カニューレであって、前記ニードルは所定の長さを有する円筒形又は円柱形を有し、外面に、前記拡張部の内部に挿入されて接着されるときに前記拡張部との摩擦力によって結合力を高めるように形成された結合手段を含み、前記結合手段は前記拡張部に挿入される前記ニードルの挿入領域全体又は一部の外周面にレーザーを点射方式で照射することで、該当レーザーが照射された前記ニードルの表面が荒い（ｒｏｕｇｈ）質感を有するようにすることを特徴とする。
【発明の効果】
【００１４】
本発明によれば、従来とは違い、溝部と突出部はもちろんのこと、補助固定体をさらに含む結合手段が形成された挿入領域の全体に接着剤を塗布したニードルを拡張部に挿入して前記結合手段の摩擦力によって前記拡張部とニードル間の結合力及び固定力を向上させることができる効果を有する。
【図面の簡単な説明】
【００１５】
【図１】従来のカニューレを示した図である。
【図２】本発明によるニードルの結合力に優れたカニューレを示した図である。
【図３】図２の分解断面図である。
【図４】図３の拡大断面図である。
【図５】本発明によるニードルの結合力に優れたカニューレを示した実際拡大写真である。
【図６】本発明によるニードルの結合力に優れたカニューレを生成するためにレーザー加工装置に整列された形態を示した実際写真である。
【図７】本発明によるニードルの結合力に優れたカニューレの結合手段の他の実施例を示す図である。
【発明を実施するための形態】
【００１６】
以下、添付図面を参照して本発明の好適な実施例によるニードルの結合力に優れたカニューレ（以下、簡略に‘カニューレ’と言う）について詳細に説明する。説明に先立ち、本発明による拡張部３は透明又は不透明のシリコンなどの合成樹脂材からなり、その内部には、後述するニードル１０が一側に挿入され、他側には吸入器、注入器のような注射針の形態はもちろんのこと、患者の血液などを採取するためにその先端が尖っている針状のニードルなどと連結される通常の拡張部３を意味するものであり、本発明の要旨を明らかにするためにその詳細な説明は省略する。
【００１７】
まず、図２に示すように、本発明によるカニューレ１は、大別して拡張部３とニードル１０とを含む構成を有する。
【００１８】
より詳細に説明すれば、前記ニードル１０は通常両側が開放した円筒管状（注射針の形態）又は円柱状（針の形態）になり、その外面には、拡張部３に挿入され、接着剤Ｇによって固定接着するときにその結合力はもちろんのこと、固定力（不必要な回転を防止）を高めるための結合手段１００を含むことができる。
【００１９】
例えば、結合手段１００は、図３に示すように、溝部１１０及び突出部１２０を含む構成を有することができ、ニードル１０の外面にレーザーを照射して該当ニードル１０の表面を溶融させることによって前記結合手段１００を形成する。
【００２０】
ここで、結合手段１００の形成は、多数のニードル１０をレーザー加工装置（図示せず）に一列に並べ、その表面にレーザーを垂直に照射して形成するか、必要によっては並べておいたそれぞれのニードル１０を回転させて円周面に沿って結合手段１００を形成することにより、工程時間を最小にすることが好ましい（図６参照）。
【００２１】
ここで、溝部１１０はニードル１０の挿入領域Ｄ１に形成され、該当ニードル１０の一面に形成されるか、あるいはその結合力を一層高めるために、前記ニードル１０の外周面に沿って所定の角度を有するように特定のパターンなしに形成されることができる。
【００２２】
ここで、ニードル１０の挿入領域Ｄ１の長さは、該当ニードル１０の先端から後端までの長さによって、１〜２００ｍｍ以内の長さを有するようにすることが好ましい。
【００２３】
また、溝部１１０は挿入領域Ｄ１内に複数形成され、本発明による挿入領域Ｄ１は拡張部３に挿入されるニードル１０の挿入長を意味する。
【００２４】
ここで、照射されたレーザーによって溶融して形成された溝部１１０の深みＤ２は１〜６０μｍ以内に限定して形成し、その幅は２０〜１００μｍ以内の幅Ｗを有するように限定して形成することが好ましい。その理由は、該当溝部１１０の深みＤ２がその限定された深み以下の場合には後述する突出部１２０の高さが低くて拡張部３との摩擦力が少なくなって結合力が低下するか、接着剤Ｇの塗布時に該当溝部１１０の内部に流入する接着剤Ｇの量が少なくて拡張部３との結合時に結合力の相乗效果を期待しにくいことがあり得るし、それ以上の深みに形成する場合には突出部１２０の高さは高くなるが溝部１１０の最低点Ｐとニードル１０に長手方向に形成された注入路１０ａ間の断面が薄くなって該当ニードル１０の破損（折れ）が発生しやすいからである。
【００２５】
また、図４を参照すると、溝部１１０の幅を限定する理由は、それ以下の幅を有する場合、粘性を有する接着剤Ｇが該当溝部１１０の内部に流入する時間が伸ばされて前記接着剤Ｇを塗布する工程時間が長くなることができ、それ以上の場合には、接着剤Ｇの塗布に必要な工程時間は短縮されるが挿入領域Ｄ１内に複数の溝部１１０を形成するときに該当挿入領域Ｄ１内でニードル１０の強度が低くなって破損のおそれがあるからである。
【００２６】
また、突出部１２０は、溝部１１０を形成するためにレーザーをニードル１０の外面に照射するとき、前記ニードル１０が溶融して突出して拡張部３の中空部３ａの内壁との摩擦力を高める構成であり、１〜３０μｍ以内の高さＨを有するように限定して突設される。
【００２７】
ここで、突出部１２０の高さを限定する理由は、それ以下の高さを有する場合、中空部３ａの内壁との摩擦力が低くて結合力上昇の効果が低く、それ以上の高さを有する場合、中空部３ａの内部に締まりばめ方式で挿入するときにニードル１０の中空部３ａへの挿入が容易でないことがあり得るからである。
【００２８】
また、挿入領域Ｄ１内に形成された溝部１１０の傾きは同じ傾きではなくてもよく、必要によっては斜線形状はもちろんのこと、‘Ｘ’字形に互いに交差するように形成することも可能である。
【００２９】
また、本発明で、溝部１１０の深みＤ２及び突出部１２０の高さＨはニードル１０の表面を基準に算定し、前記溝部１１０の幅Ｗは前記溝部１１０の上端において互いに向き合うように連結される一対の前記突出部１２０間の距離を意味する。
【００３０】
さらに、本発明による結合手段１００は補助固定体１３０をさらに含むことができる。前記補助固定体１３０は、溝部１１０を形成するために溶融したニードル１０の溶融物（ｐａｒｔｉｃｌｅ）が前記ニードル１０の表面に粒子状で固着して形成される（図５参照）。
【００３１】
すなわち、所定の温度のニードル１０の外面に照射されるレーザーで溝部１１０を形成する場合、その温度によって溶融して飛び出した溶融物がニードル１０の表面に不特定のパターンで形成され、該当溶融物は一時的に高温を維持し、金属素材又はステンレススチール素材のニードル１０の表面に固着して補助固定体１３０を形成することになる。
【００３２】
該当補助固定体１３０は突出部１２０とともに中空部３ａの内壁との摩擦力を増大させることにより、ニードル１０と拡張部３間の結合力はもちろんのこと、固定力を向上する構成として作用するものである。
【００３３】
一方、本発明による結合手段１００’は、図７に示すように、他の実施例として、挿入領域に相当するニードル１０の外周面レーザーを点射方式で照射し、そのレーザーと接する表面が該当レーザーの温度によって歪み、該当挿入領域の全表面が溶融物によって荒くなるようにすることにより、拡張部３へ挿入されるとき、その荒い（ｒｏｕｇｈ）質感によって固定されるようにすることができる。
【００３４】
また、図示のように、点射方式でニードル１０の表面にレーザーを照射することによって形成される結合手段１００’は該当ニードル１０の挿入領域の円周面に沿ってスクリュー状に形成され、レーザーと直接接触する接触マーキングＴの部分が前記挿入領域の長手方向に互いに一定の距離で隣り合うように接触して荒い質感を表現するようにすることができる。
【００３５】
このような構成を有する本発明によるカニューレ１は、従来とは違い、溝部１１０と突出部１２０はもちろんのこと、補助固定体１３０をさらに含む結合手段１００が形成された挿入領域Ｄ１の全体に接着剤Ｇを塗布したニードル１０を拡張部３に挿入し、前記結合手段１００の摩擦力によって前記拡張部３とニードル１０間の結合力及び固定力を向上させることができる効果を有する。
【産業上の利用可能性】
【００３６】
以上のように、本発明は具体的な構成要素などの特定の事項と限定された実施例及び図面に基づいて説明されたが、これは本発明のより全般的な理解を助けるために提供されたものであるだけで、本発明は前記実施例に限定されるものではなく、本発明が属する分野で通常的な知識を有する者であればこのような記載から多様な修正及び変形が可能である。
【００３７】
よって、本発明の思想は説明された実施例に限って決定されてはいけなく、後述する特許請求範囲だけではなく、この特許請求範囲と均等な又は等価的変形がある全てのものは本発明の思想の範疇に属するものと見なすことができる。
【図１】
2020535865.tif 000003
【図２】
2020535865.tif 000004
【図３】
2020535865.tif 000005
【図４】
2020535865.tif 000006
【図５】
2020535865.tif 000007
【図６】
2020535865.tif 000008
【図７】
2020535865.tif 000009
【国際調査報告】
2020535865.tif 000010
2020535865.tif 000011
2020535865.tif 000012
2020535865.tif 000013
2020535865.tif 000014
2020535865.tif 000015